(57)【要約】偏光可能なガラス面を有する多面体上に画像を投射する内部装置及び投射方法であって、電流で透明になる偏光可能な半透明ガラスの面が間に配置された複数の中空多面体からなる装置を備えるものである。この装置は、小さい方の多面体の内部に画像プロジェクタと、多面体の全ての面に画像を導くレンズ又は鏡からなるシステムとを有し、その内側から発せられた画像は、半透明の面においてレトロプロジェクションにより形成され、そこで止められ、透明となると、半透明状態の隣の多面体に投射される。連続する複数の多面体の間に配置された、偏光可能なガラス面に内側からの画像を投射する方法では、そのガラス面は、半透明ではスクリーンとして機能し、透明となると、隣の半透明の多面体に画像を投射させる。【特許請求の範囲】
【請求項１】
偏光可能なガラス面を有する多面体上に画像を投射する内部装置であって、
多面体に共有の複数のスクリーン上への画像の内部プロジェクタからなり、
２つ以上の多面体ボディのうち内側の多面体内に配置された１つの装置プロジェクタ又はプジェクタ群であり、
内側の多面体が、それぞれ、それを包含する他の大きな多面体内に同心状に又は非同心状に内包され又は内接されており、その面が、互いに離隔され、かつ、半透明の偏光性液晶、ガラス、メタクリル酸エステル又はその他の適当な多層の材料の２枚のシートから作られ、これらのシート間に、透明となるようにする電流で、この電流が止められた場合に半透明となる電流により偏光可能となっている液体を有する半透明駅週から作られていることを特徴とし、
当該プロジェクタが、投射を直接的に、反射により、又は、内側から全ガラス多面体の全ての面上への同じ画像の補助的な投射により、投射を可能とする独立した補助プロジェクタ、多方向性のレンズ又は鏡からなるシステムが任意に関連付けられ得るものであり、
レトロプロジェクションのスクリーンとして使用されない面の半透明状態と、スクリーンとして使用される面の透明状態とを組み合わせることによって、そして、内側多面体が内側に配置され、活性化されたスクリーンが常に看者とプロジェクタとの間に存在しているので、或いは、必要な場合には、全てのスクリーンが偏光されて透明とされる場合にプロジェクタを見えなくするために当該プロジェクタが隠され得るので、画像プロジェクタが看者の目に触れることなしに、各多面体の全ての面において、又は、スクリーンとして選択されているものにおいて、同時的に空間における三次元位置を変えることによって、ガラスの偏光・非偏光が、看者に、ガラス多面体間に内包ないしは内接されたガラス多面体において連続的に画像を見えるようにすることができ、
広告や教育目的、娯楽目的で看者に注意度を高く持たせ続けることのできる明るい三次元の動的効果をもたらす
ことを特徴とする、内部装置。
【請求項２】
請求項１に記載の、偏光可能なガラス面を有する多面体上に画像を投射する内部装置であって、
２つ以上の多面体の規則正しいボディのうち内側の多面体内に配置された１つの装置プロジェクタ又はプジェクタ群であり、
内側の多面体が、同様に、それぞれそれを包含する他の大きな多面体内に同心状に又は非同心状に内包され又は内接されており、その面が互いに平行かつ離隔され、それぞれの面の透明性又は半透明性の状態に応じて同じ画像が内側から各ガラス多面体の全ての面に直接的に投射されるよう、光投射の発射角内に内接した状態で維持されることを特徴とする、内部装置。
【請求項３】
請求項１に記載の、偏光可能なガラス面を有する多面体上に画像を投射する内部装置であって、
刺激又は外部要因に反応する光センサ、音響センサ又は熱的センサからなるシステムによって各多面体の透明性又は半透明性の状態が順次、活性化され得るようになっており、電流により各ガラスの偏光性をプログラムして当該プロジェクタにより発する画像を選択することができるコンピュータが任意に設けられることを特徴とする、内部装置。
【請求項４】
複合用途の手順、及び、電流の作用により透明と半透明になることができる液体が間に配置された、ガラス、メタクリル酸エステル又はその他の適当な透明材料からなる複数の多層スクリーンのセットと、プロジェクタとの間の組み合わせの手順からなることを特徴とする、レトロプロジェクションによる画像を投射する方法であって、
画像源が、中空の２以上の多面体のうち内側の多面体の内部に配置され、これらの多面体は、好ましくは、同じ形で規則正しいものがよいが、補助的な手段が看者に見えなくさせるようスクリーンとして用いられない各多面体の面に配置される、画像の向きを変える補助的なプロジェクタや、レンズ又は鏡が設けられる場合には、不規則で又は区々の形状の多面体が用いられ得るものであり、多面体は、それぞれがそれを囲む隣の多面体に対して内側に配置され又は内接されるという形態で配置され、内側のものと外側のものとの面の間は分離され、
もって、スクリーンとして用いられる各多面体の面が、好ましくは、全体的に平行であり、又は、画像の投射の発光角の内側に部分的に内接されるようにしており、この内接の場合は、内接された多面体が接合される場合、又は、内接された多面体が囲んでいる多面体の面に対して所定の角度の面を有する場合であり、その場合、それらは、レンズ、鏡又は他の光学手段、すなわち隣の多面体に画像を向け直すもの又は補助的な独立のプロジェクタを有する光学手段の複合システムに関連され、
電流を流すことによりスクリーンの透明状態又は半透明状態が変更された場合、半透明状態でスクリーンに画像を形成し又は透明状態でスクリーンにより反射されることなく画像を透過させる三次元システムにおいて、多面体の面の連続的な平面において同じ画像の空間位置を変更するという本質的な視覚効果を看者に与えるものであり、
半透明状態にあるスクリーン、外部の観察者にとっては多面体の内側からそこに発せられた画像のレトロプロジェクション用のスクリーンとして機能するが、光電流がそこを通された場合には、それは偏光又は他の方法で透明になり、
画像装置プロジェクタからの画像が透明状態のガラスを自由に透過し、レンズ又は補助的な鏡により画像を反射することにより、又は直接的に、半透明の次の多面体の面に投射され、場合によっては独立した補助的なプロジェクタにより囲んでいる多面体の面に発射されることもでき、かかる画像は、大きなものの中に包含された一つのスクリーン又は他のスクリーンにおいてレトロプロジェクションによって外部の観察者により見て取られ、画像が投射されるスクリーンがオペレータ又は看者の選択で変更され得るようになっており、
当該方法は、スクリーン偏光性を活性化又は不活性化させることにより、多面体の半透明状態と透明状態とを変更する動的効果の電気的又は電子的装置、例えば、コンピュータや、各多面体のガラスの偏光電流を調整する他のシステムを用い、偏光と非偏光とに応じて、その内側から画像を発し、全ての多面体のいずれの面にも連続的に投射することができ、したがって、各多面体が、三次元マルチスクリーンで独立した態様で作動することができるようにし、
当該投射は、レンズ、鏡又は補助的な独立したプロジェクタからなる補助システムにより、プロジェクタにより発せられる同じ画像又はプロジェクタ群のうち内側のものから発せられる同じ画像がその投射のために適切に方向付けられることを確実にすることができ、又は、それが補助的なプロジェクタから各多面体の面に投射されることを確実にすることができるように実行され、各場合において、内側の画像プロジェクタは、プロジェクタの視界を妨げる画像投射された活性化スクリーンが常に看者とプロジェクタとの間にあるという事実により、看者に隠されたままとなり、
また、このプロジェクタは、オペレータが全体的に多面体の全ての面を透明とするよう偏光させるときに、見えなくさせるよう設けられた内側の多面体から見えなくさせるために隠され得るものとされ、
場合によっては、画像を向き直させる補助的な鏡、レンズ又は独立の補助プロジェクタが、スクリーンとして用いられない多面体の面の一つに設けられ、スクリーンとして働く多面体の面上への看者の視野に対して隠れたままの状態とする、方法。
【発明の詳細な説明】
【技術背景】
【０００１】
現在、従来の技術状況的背景においては、２つ以上の中空多面体（他方が、刻まれているが、接触面と接触も接触面で囲まれることもないものとなっているものを含む）のうち小さい方の多面体の内部部分に配置された画像のプロジェクタを有する装置は知られていない。これは、次に述べることが本質となっているからである。すなわち、それらの面の間の距離が十分であるので、外部の看者が、企画される三次元効果ないしは空間効果を認識できるようになっているからである。小さい方は、大きい方の中に包含され、大きい方は小さい方を囲み、次いでこれを連続的に囲み、それらの全ては互いに同心である。これは、それらが同じ中心を有している場合、又は、同じベース上で傾斜され、或いは、それぞれが異なる高さレベルで別々のベースを有している場合である。これは、全ての多面体に連続的に画像を投射させることができる、透光性に対しての偏向性を有する半透明ガラスの面にそれぞれを取り付けることによって、特に特徴付けられている。そして、ガラス偏向性が活性化されると、内側のもの又はいずれかの外側のものが透明となり、三次元効果をもって、そして、デモンストレーション、広告又は展示の目的をもって、レトロプロジェクションにより画像が投射されるガラススクリーンを変化させるのである。
【発明の開示】
【０００２】
提案の本発明は、各スクリーン上にプロジェクタの画像をフィックスするために、連続的に活性化される同心の又は連続的なスクリーン上への画像のレトロプロジェクションに基づかれる、レトロプロジェクション手段及びその実施のための適切な装置である。このスクリーンは、２枚のガラスのシート又は他の透光性材料のシートからなり、これらのシートの間には、電気的な偏向と偏向解消により透明又は半透明への変換に信頼性のある液体が配置されているので、画像は、それが透明である場合にはスクリーン上で反射されないようにし、反対に、画像は、半透明状態であるスクリーン上では反射され、画像が形成される空間の面を移動させる効果、看者に対して接近・離隔する効果、及び、そのサイズを増減する効果を与える。
【０００３】
この結果、本手段は、以下の技術的特徴に関連される画像レトロプロジェクションのシステムである。
【０００４】
（１）画像源は、中空の２以上の多面体のうち内側の多面体の内部に配置される。これらの多面体は、好ましくは、同じ形で規則正しいものがよい。しかし、補助的な手段が看者に見えなくさせるようスクリーンとして用いられない各多面体の面に配置される画像の再向（redirection）の補助的なプロジェクタや、レンズ又は鏡が設けられる場合には、不規則で又は区々の形状の多面体が用いられ得る。
【０００５】
（２）多面体は、それぞれがそれを囲む隣りの多面体に対して内側に配置され又は内接されるという形態で配置される。内側のものと外側のものとの面の間は分離しており、スクリーンとして用いられる各多面体の面は、全体的に平行であり、又は、画像の投射の発光角の内側に部分的に内接されるようにしている。この内接の場合は、内接された多面体が接合される場合、又は、内接された多面体が囲んでいる多面体の面に対して所定の角度の面を有する場合であり、その場合、それらは、レンズ、鏡又は他の光学手段（隣の多面体に画像を向け直す（再向させる）もの又は補助的な独立のプロジェクタを有するもの）の複合システムに関連されなければならない。これは、本発明の本質的内容が、マルチスクリーン装置により看者に生じさせる視覚効果であるためである。なお、マルチスクリーン装置においては、他の大きな方のスクリーン、すなわち小さい方を囲むスクリーンの内側に内接するスクリーンのそれぞれが、三次元システム内の同じ画像の特定の位置を変えることにより透光性又は半透明となるものである。本明細書に関する限り、内接の多面体は、それを囲む他の大きな方の多面体に包含される者として定義されるであり、囲んでいる多角形の内側に内接された多角形について述べることと同様である。
【０００６】
（３）多面体の面は、ガラス、メタクリル酸エステル又は他の基材内の特別な液晶（通常は半透明であり、この場合において、外部の観察者にとっては多面体の内側部分から発せられそこに投射された画像をレトロプロジェクションするためのスクリーンとして機能させ、又は、光電流がそこを通過する際に偏光又は他の方法により透光性となることにより特徴付けられるもの）から作られている。このような場合において、画像のプロジェクタ装置から現れる画像は透明なガラスを自由に通過し、半透明の隣の多面体の面に、直接的に、又は、レンズや補助的な鏡による画像の反射によって、投射され、そして、その画像はまた、独立の補助プロジェクタにより囲んでいる多面体に発せられる。これは、その画像が、大きなものの中に包含された一つのスクリーン又は他のスクリーンのレトロプロジェクションによって外部の観察者により見て取られること、及び、画像が投射されるスクリーンがオペレータ又は看者の選択で変化される得ることを本質としている。
【０００７】
（４）ガラス偏光性を活性化又は不活性化させることにより、多面体の半透明性と透明性とを変更する動的効果の装置によって、例えば、コンピュータや、各多面体のガラスの偏光電流を調整する他のシステムによって、偏光と非偏光とに応じて、その内側から画像を発し、全ての多面体のいずれの面に連続的に投射することができ、したがって、各多面体は、三次元マルチスクリーンで独立した態様で作動することができる。
【０００８】
（５）レンズ、鏡又は補助的な独立したプロジェクタからなる補助システムにより、プロジェクタにより発せられる同じ画像又は複数のプロジェクタのうち内側のものから発せられる同じ画像がその投射のために適切に方向付けられることを確実にすることができ、又は、それが補助的なプロジェクタから各多面体の面に投射されることを確実にすることができる。
【０００９】
（６）全ての場合における内側の画像プロジェクタは、看者に隠されたままとなる。看者とプロジェクタとの間に常にある、画像が投射される活性化されたスクリーンによって、そのプロジェクタは見られないようになっているからである。このものは、必要とされる場合には、オペレータが全体的に多面体の全ての面を透明とするよう偏光させるときに、見えなくさせるよう設けられた内側の多面体から見えなくさせるために隠され得る。
【００１０】
（７）画像の再向のためのレンズ又は補助鏡、場合によっては独立の補助プロジェクタが、スクリーンとして用いられない多面体の面の一つに設けられ、スクリーンとして働く多面体の面上への看者の視線に対して隠れたままの状態となる。
【００１１】
本発明による新規な装置は、２つ以上の多面体ボディのうち内側の多面体内に配置されたプロジェクタである。内側の多面体は、大きな多面体内に同心状に又は非同心状に内接される。内側の多面体は、好ましくは、互いに離隔されかつ光投射の発射角内に内接された平行な面が設けられる。この多面体は、半透明の偏光性液晶、ガラス、メタクリル酸エステル又はその他の適当な材料から作られ、内側から全ガラス多面体の全ての面に同じ画像の投射を可能とするためにレンズ又は多方向性鏡からなるシステムが設けられている。内側多面体が内側に配置されているので、又は、活性化されたスクリーンが常に看者とプロジェクタとの間に存在しているので、或いは、必要な場合には、全てのスクリーンが偏光されて透明とされる場合にプロジェクタを見えなくするために隠すことによって、画像プロジェクタが看者の目に触れることなしに、全ての多面体の面において、又は、スクリーンとして選択されているものにおいて、同時的に空間における三次元位置を変えることにより、ガラス偏光と非偏光は、画像を、ガラス多面体のいずれにも見えるようにすることができる。このように、明るい三次元の動的効果を有し、広告や教育目的、娯楽目的で看者に注意度を高く持たせ続けることのできる新規な投射装置が得られる。
【本発明を実施するための最良の形態の説明】
【００１２】
本発明を効果的に実施するための最良の形態が次に提案される。すなわち、２つの中空の同心の立方体からなる構造であって、偏光により透光効果を生じさせる低強度電流のもとで偏光可能な液体（半透明のガラススクリーンの透明度を高めるために、市場において周知の特許や商標において用いられる液体）がシート内に設けられたガラス又は複層のメタクリル酸エステルからなる側面を有する構造が、提案されている。
【００１３】
これらの多面体の幾何学的中心において、このシステムには、１つのプロジェクタ又は複数のプロジェクタからなる群が設けられる。１セットのレンズ又は鏡により、プロジェクタ又はプロジェクタ群は、それが含んでいる多面体の全ての面に同じ画像を反射させ、画像のスクリーン効果がそこにもたらされ得るようにするために、そのガラス面が半透明であるときに、内側の多面体においてそれを無関係なものとすることができる。或いは、その内側の多面体の面が偏光されて透明とされる場合に、それらが外側の多面体の面に投射することができ、場合によっては、中間に配置された多面体の面が透明状態である場合に、同じ目的で、偏光されずに半透明状態に変化される次のものに投射することができる。このようにして、同じ画像が、各多面体の全ての面に、外側の者だけではなく、内側のものにも、見られ得るものとなり、中心に置かれたプロジェクタが見えなくても、教育的、広告的又は娯楽的目的で看者の注意を新しい方法で強く引きつけるために、それぞれの多面体の全ての面に投射された画像の三次元位置を変更することで、各多面体において投射を動的に変更することができる。
【００１４】
この装置に対するセンサ（光、音又は熱のいずれか）からなるシステムの組み込み、或いは、必要な場合にはコンピュータ（単なる看者の存在のような刺激や、センサを動かす刺激に応答することにより、プログラムされた瞬時的投射を可能とするコンピュータ）の組み込みが、実施される。
【産業上の利用可能性】
【００１５】
上記の本発明は、教育的、広告的、娯楽的な目的を持つプロジェクタとして産業上利用性を有する。
【国際調査報告】
2005534986.tif 000002
2005534986.tif 000003
2005534986.tif 000004
2005534986.tif 000005